(57)【要約】【課題】多段式伸縮自在シャフトを構成する各パイプが自由に回転しないようにするとともにシャフトをスムーズに伸縮させることができるようにする。【解決手段】複数のパイプ４，６，８，１０が入れ子式にスライド自在に嵌挿されている。複数のパイプの中、シャフトの最も内側のパイプ１０を除いた各パイプ４，６，８の内径部の断面形状が多角形に形成され、複数のパイプの中、シャフトの最も外側のパイプ４を除いた各パイプ６，８，１０の後端部の外径部に断面形状が多角形の角形部６ａ，８ａ，１０ａが形成され、これらの角形部６ａ，８ａ，１０ａが外側のパイプの多角形状の内径部に軸方向にスライド自在に嵌合し、外側と内側のパイプの相対回転が阻止されている。【選択図】  図１
2004275437.tif 000002
【特許請求の範囲】
【請求項１】
折り畳み式洋傘に用いられる複数のパイプから成る多段式の伸縮自在なシャフトであって、複数のパイプを入れ子式にスライド自在に嵌挿し、前記複数のパイプの中、前記シャフトの最も内側のパイプを除いた各パイプの内径部の断面形状を多角形に形成し、前記複数のパイプの中、前記シャフトの最も外側のパイプを除いた各パイプの後端部の外径部に断面形状が多角形の角形部を形成し、該各パイプの角形部を該各パイプの外側のパイプの内径部に軸方向にスライド自在に嵌合させ、外側と内側のパイプの相対回転を阻止するようにしたことを特徴とする折り畳み式洋傘用伸縮自在シャフト。
【請求項２】
前記外側のパイプの先端部に該外側のパイプにスライド自在に嵌挿する内側のパイプの後端部の角形部の端部を係止するための係止部を設けたことを特徴とする請求項１に記載の折り畳み式洋傘用伸縮自在シャフト。
【請求項３】
前記外側のパイプの先端の近傍にインデックス孔を形成し、前記内側のパイプの後端の近傍に貫通孔を設け、前記内側のパイプの内径部にばね体を圧縮配置し、該ばね体に取り付けた突起体を前記貫通孔から所定量突出する方向に弾発配置し、前記シャフトを伸長し前記外側のパイプの先端部に前記内側のパイプの前記角形部の端部が係止されたとき、前記突起体が前記インデックス孔に嵌合し、前記内側と外側のパイプの相対的な長手方向の移動と周回転とを解除可能にロックしたことを特徴とする請求項２に記載の折り畳み式洋傘用伸縮自在シャフト。
【請求項４】
前記各パイプの外側から見える外周面を丸く形成したことを特徴とする請求項１に記載の折り畳み式洋傘用伸縮自在シャフト。
【発明の詳細な説明】
【０００１】
【発明の属する技術分野】
本発明は、携帯用の折り畳み式洋傘に用いられる伸縮自在な多段式のシャフトに関する。
【０００２】
【従来の技術】
従来の折り畳み式洋傘に用いられる伸縮自在な多段式のシャフトは、シャフトを構成する各パイプの自由回転を防止するため、外側のパイプの各々の内径部に稜線を設け、内側のパイプの外周には、周囲段差と溝を設けている（例えば特許文献１参照）。
【０００３】
【特許文献１】
特開２００１−３５３０１２号公報（２ページ、第５図）
【０００４】
【発明が解決しようとする課題】
パイプの内側に稜線を設ける構造は、高精度が要求される。稜線の精度に誤差があると、シャフトの伸縮方向のスライド動作をスムーズに行うことができなくなる。そのためシャフトの製造に精度が要求される分、製造コストが高くなるという問題点が生じる。
本発明は稜線を設けることなくスムーズに伸縮動作を行うことができるシャフトを提供することを目的とするものである。
また、本発明の他の目的は、外観的にも見映えのよい外周面が丸形のシャフトを提供することである。
また本発明の他の目的は、シャフトを構成するパイプの周回転と抜け脱を確実に防止することである。
【０００５】
【課題を解決するための手段】
上記目的を達成するため本発明は、折り畳み式洋傘に用いられる複数のパイプから成る多段式の伸縮自在なシャフトであって、複数のパイプを入れ子式にスライド自在に嵌挿し、前記複数のパイプの中、前記シャフトの最も内側のパイプを除いた各パイプの内径部の断面形状を多角形に形成し、前記複数のパイプの中、前記シャフトの最も外側のパイプを除いた各パイプの後端部の外径部に断面形状が多角形の角形部を形成し、該各パイプの角形部を該各パイプの外側のパイプの内径部に軸方向にスライド自在に嵌合させ、外側と内側のパイプの相対回転を阻止するようにしたものである。
また本発明は、前記外側のパイプの先端部に該外側のパイプにスライド自在に嵌挿する内側のパイプの後端部の角形部の端部を係止するための係止部を設けたものである。
また本発明は、前記外側のパイプの先端の近傍にインデックス孔を形成し、前記内側のパイプの後端の近傍に貫通孔を設け、前記内側のパイプの内径部にばね体を圧縮配置し、該ばね体に取り付けた突起体を前記貫通孔から所定量突出する方向に弾発配置し、前記シャフトを伸長し前記外側のパイプの先端部に前記内側のパイプの前記角形部の端部が係止されたとき、前記突起体が前記インデックス孔に嵌合し、前記内側と外側のパイプの相対的な長手方向の移動と周回転とを解除可能にロックしたものである。
また本発明は、前記各パイプの外側から見える外周面を丸く形成したものである。
【０００６】
【発明の実施の形態】
以下に本発明の実施の形態を添付した図面を参照して詳細に説明する。
２は、折り畳み洋傘用の伸縮自在シャフトであり、複数の互いに径が異なり且つほぼ同長のパイプを、入れ子式にスライド自在に嵌合した多段式に構成されている。一番太い第１パイプ４の内径部に、第２のパイプ６がスライド自在に嵌合し、この第２のパイプ６の内径部に、第３のパイプ８がスライド自在に嵌合し、該第３のパイプ８の内径部に最も細い第４のパイプ１０がスライド自在に嵌合している。
【０００７】
前記伸縮自在なシャフト２には、折り畳み洋傘を構成するための骨格構成要素（図示省略）やその他の部品がロクロ（図示省略）を介して取り付けられる。シャフト２を構成する各パイプ４，６，８，１０は、ステンレス、真鍮その他の金属素材により構成されている。第１図乃至第３図に示すように、パイプ４，６，８の内径部の断面形状は、それぞれ正八角形から成る多角形を構成している。前記第１のパイプ４の外周面は全長に亘って丸く即ち外周の断面が円形に形成されている。
【０００８】
前記第２乃至第４のパイプ６，８，１０の外周面は、外側のパイプによって隠れる各後端部を除いて、外部から見える部分Ｋが丸く形成され、該各パイプ６，８，１０は、対応する外側のパイプ４，６，８にスライド自在に嵌挿されている。前記パイプ６，８，１０の外周面の各後端部側即ちパイプの根本側には、図１及び図２に示すように、リング状の部材から成る角形部６ａ，８ａ，１０ａが所定範囲に亘って固設され、該角形部６ａ，８ａ，１０ａの外径部の断面形状は、正八角形から成る多角形に形成されている。尚、上記パイプ４，６，８の内径部の多角形状及びこれらに嵌合する角形部６ａ，８ａ，１０ａの多角形状は図示する正八角形に特に限定されるものではない。
【０００９】
前記パイプ６，８，１０の各角形部６ａ，８ａ，１０ａの外径部は、それらが嵌合する外側のパイプ４，６，８の内径部の多角形状とほぼ同一の寸法に設定され、各角形部６ａ，８ａ，１０ａが対応する外側のパイプ４，６，８の多角形の内径部にスライド自在に密嵌することができるように構成されている。前記第４のパイプ１０以外のパイプ４，６，８は、先端を絞って、係止部Ｓが形成され、シャフト２を伸長した際、外側のパイプ４，６，８の係止部Ｓに、内側のパイプ６，８，１０の角形部６ａ，８ａ，１０ａの端部が衝突し、内側のパイプ６，８，１０が外側のパイプから外れないように構成されている。
【００１０】
前記外側のパイプ４，６，８の先端の近傍には１８０度の間隔を存してそれぞれ一対のインデックス孔１２が形成されている。また、前記内側のパイプ６，８，１０の後端の近傍に１８０度の間隔を存してそれぞれ一対の貫通孔１４が形成されている。１６は前記内側のパイプ６，８，１０の内径部後端に屈曲配置されたＵ字状のばね体であり、これの両端に凸曲面を有する突起体１８が固着されている。前記突起体１８は、前記貫通孔１４に嵌合配置され、その先端凸曲面が前記貫通孔１４から所定量突出する方向に弾発されている。
【００１１】
上記した構成において、第１のパイプ４と第２のパイプ６は、第２のパイプ６の角形部６ａが第１のパイプ４の角形の内径部にスライド自在に密嵌しているため、互いに、長手方向のみスライドが可能であり、第１のパイプ４に対して第２のパイプ６が相対回転する方向の移動が、多角形嵌合構造によって阻止される。第２のパイプ６と第３のパイプ８間、第３のパイプ８と第４のパイプ１０間の関係も上記第１のパイプ４と第２のパイプ６との関係と同様であり、互いの長手方向のスライド移動が可能であり、相対回転方向の移動が、外側のパイプの内径部とこれに嵌合する内側のパイプの角形部の多角形によって阻止される。
【００１２】
前記シャフト２を伸長し前記外側のパイプ４，６，８の先端部に前記内側のパイプ６，８，１０の前記角形部６ａ，８ａ，１０ａの端部が係止されたとき、丁度、内側のパイプ６，８，１０突起体１８が図５に示すように、外側のパイプ４，６，８の前記インデックス孔１２に嵌合し、前記内側と外側のパイプの相対的な長手方向の移動と周回転とが解除可能にロックされ、内側のパイプ６，８，１０対応する外側のパイプ４，６，８から簡単に外れたり、回転することがない。
【００１３】
【発明の効果】
本発明は上述の如く構成したので、シャフトの伸縮動作を外側のパイプに対する内側のパイプの回転を阻止した状態で確実且つ円滑に行うことができる。
【図面の簡単な説明】
【図１】本発明に係るシャフトに使用されるパイプを示し、（Ａ）は正面図、（Ｂ）は縦断面図、（Ｃ）はＣ−Ｃ断面図である。
【図２】本発明に係るシャフトの正面図である。
【図３】本発明に係るシャフトのＡ−Ａ線断面図である。
【図４】本発明に係るシャフトのＢ−Ｂ線断面図である。
【図５】パイプの係止機構を示す断面図である。
【符号の説明】
２      シャフト
４      パイプ
６      パイプ
８      パイプ
１０    パイプ
１２    インデックス孔
１４    貫通孔
１６    ばね体
１８    突起体
【図１】
2004275437.tif 000003
【図２】
2004275437.tif 000004
【図３】
2004275437.tif 000005
【図４】
2004275437.tif 000006
【図５】
2004275437.tif 000007